(57)【特許請求の範囲】
【請求項１】
無線端末からの参照信号の周波数の切り替えに応じて、前記無線端末に対して無線リソースを割り当てる無線基地局であって、
前記無線リソースにおける変調方式を決定する決定部を備え、
前記決定部は、前記無線端末に割り当てる最新の第１の無線リソースの周波数帯域と異なる周波数帯域を有し、前記無線端末に割り当てられた第２の無線リソースについて取得された品質情報に基づいて、前記第１の無線リソースにおける変調方式を決定する無線基地局。
【請求項２】
前記決定部は、前記参照信号の受信周期の期間における時間位置が前記無線端末に割り当てる最新の第１の無線リソースと同一であるタイミングにおいて取得された品質情報に基づいて、前記第１の無線リソースにおける変調方式を決定する請求項１に記載の無線基地局。
【請求項３】
前記決定部は、前記第２の無線リソースについて過去に取得された複数の品質情報のうち、最新の品質情報に基づいて、前記第１の無線リソースにおける変調方式を決定する請求項１に記載の無線基地局。
【請求項４】
前記決定部は、前記第２の無線リソースについて過去に取得された複数の品質情報によって示される品質の値の平均値に基づいて、前記第１の無線リソースにおける変調方式を決定する請求項１に記載の無線基地局。
【請求項５】
前記決定部は、前記第２の無線リソースについて過去に取得された複数の品質情報によって示される品質の値について、取得されてからの経過時間が短いほど、重み付け係数を大きくした重み付け平均の値に基づいて、前記第１の無線リソースにおける変調方式を決定する請求項１に記載の無線基地局。
【請求項６】
無線端末からの参照信号の周波数の切り替えに応じて、前記無線端末に対して無線リソースを割り当てる無線基地局における通信制御方法であって、
前記無線リソースにおける変調方式を決定するステップを含み、
前記決定するステップは、前記無線端末に割り当てる最新の第１の無線リソースの周波数帯域と異なる周波数帯域を有し、前記無線端末に割り当てられた第２の無線リソースについて取得された品質情報に基づいて、前記第１の無線リソースにおける変調方式を決定する通信制御方法。
【発明の詳細な説明】
【技術分野】
【０００１】
本発明は、無線端末からの参照信号の周波数の切り替えに応じて、当該無線端末に対して無線リソースを割り当てる無線基地局、及び、当該無線基地局における通信制御方法に関する。
【背景技術】
【０００２】
３ＧＰＰ（Third Generation Partnership Project）において、現在、規格化されているＬＴＥ（Long Term Evolution）に対応する無線通信システムでは、無線基地局（ｅＮＢ）と無線端末（ＵＥ）との間の無線通信において、ｅＮＢが、ＵＥに対して無線リソースであるリソースブロック（ＲＢ）を割り当てる（例えば、非特許文献１参照）。
【０００３】
また、無線通信システムにおける、無線端末に対する無線リソースの割当方法として、無線端末に割り当てられる無線リソースの周波数を、随時切り替える周波数ホッピングと称される方法がある。例えば、次世代ＰＨＳ（eXtended Global Platform：ＸＧＰ）といった無線通信システムに、周波数ホッピングは採用可能である。
【先行技術文献】
【非特許文献】
【０００４】
【非特許文献１】3GPP TS 36.211 V8.7.0 ”Physical Channels and Moduration”, MAY 2009
【発明の概要】
【発明が解決しようとする課題】
【０００５】
上述したＸＧＰの無線通信システムにおける周波数ホッピングでは、無線基地局は、新たに割り当てる無線リソースについて、データの破損を防止すべく、干渉に強い変調方式（例えば、ＢＰＳＫ）を設定する。このため、再送処理の発生を抑制することができるものの、スループットが低下するという問題がある。このため、特に、スループットの高速化が要求されるＬＴＥの無線通信システムでは、ＸＧＰの無線通信システムにおける周波数ホッピングを、そのまま採用することは適切ではない。
【０００６】
上記問題点に鑑み、本発明は、スループットを低下させることなく、適切な変調方式を決定することが可能な無線基地局及び通信制御方法を提供することを目的とする。
【課題を解決するための手段】
【０００７】
上述した課題を解決するために、本発明は以下のような特徴を有している。本発明の特徴は、無線端末（ＵＥ２−１、ＵＥ２−２）からの参照信号の周波数の切り替えに応じて、前記無線端末に対して無線リソース（ＲＢ）を割り当てる無線基地局（ｅＮＢ１−１）であって、前記無線リソースにおける変調方式（ＭＣＳ：Modulation and Coding Scheme）を決定する決定部（ＭＣＳ決定部１１６）を備え、前記決定部は、前記無線端末に割り当てる最新の第１の無線リソースの周波数帯域と異なる周波数帯域を有し、前記無線端末に割り当てられた第２の無線リソースについて取得された品質情報（ＣＱＩ、ＳＩＮＲ）に基づいて、前記第１の無線リソースにおける変調方式を決定することを要旨とする。
【０００８】
このような無線基地局は、無線端末からの参照信号の周波数の切り替えに応じて、当該無線端末に対して無線リソースを割り当てる、周波数ホッピングを採用しており、無線端末に第１の無線リソースを割り当てる場合に、当該第１の無線リソースの周波数帯域と異なる周波数帯域を有し、無線端末に割り当てられた第２の無線リソースについて取得された品質情報に基づいて、第１の無線リソースにおける変調方式を決定する。従って、無線基地局は、過去の第２の無線リソースの品質情報を、第１の無線リソースにおける変調方式の決定に用いることができ、スループットを低下させることなく、適切な変調方式を決定することができる。
【０００９】
本発明の特徴は、前記決定部は、前記参照信号の受信周期の期間における時間位置が前記無線端末に割り当てる最新の第１の無線リソースと同一であるタイミングにおいて取得された品質情報に基づいて、前記第１の無線リソースにおける変調方式を決定することを要旨とする。
【００１０】
本発明の特徴は、前記決定部は、前記第２の無線リソースについて過去に取得された複数の品質情報のうち、最新の品質情報に基づいて、前記第１の無線リソースにおける変調方式を決定することを要旨とする。
【００１１】
本発明の特徴は、前記決定部は、前記第２の無線リソースについて過去に取得された複数の品質情報によって示される品質の値の平均値に基づいて、前記第１の無線リソースにおける変調方式を決定することを要旨とする。
【００１２】
本発明の特徴は、前記決定部は、前記第２の無線リソースについて過去に取得された複数の品質情報によって示される品質の値について、取得されてからの経過時間が短いほど、重み付け係数を大きくした重み付け平均の値に基づいて、前記第１の無線リソースにおける変調方式を決定することを要旨とする。
【００１３】
本発明の特徴は、無線端末からの参照信号の周波数の切り替えに応じて、前記無線端末に対して無線リソースを割り当てる無線基地局における通信制御方法であって、前記無線リソースにおける変調方式を決定するステップを含み、前記決定するステップは、前記無線端末に割り当てる最新の第１の無線リソースの周波数帯域と異なる周波数帯域を有し、過去に前記無線端末に割り当てられた第２の無線リソースについて取得された品質情報に基づいて、前記第１の無線リソースにおける変調方式を決定することを要旨とする。
【発明の効果】
【００１４】
本発明によれば、スループットを低下させることなく、適切な変調方式を決定することが可能となる。
【図面の簡単な説明】
【００１５】
【図１】本発明の実施形態に係る無線通信システムの全体概略構成図である。
【図２】本発明の実施形態に係る、リソースブロックのフォーマットを示す図である。
【図３】本発明の実施形態に係る、フレームのフォーマットを示す図である。
【図４】本発明の実施形態に係る、ｅＮＢとＵＥとの間の無線通信において利用可能な無線リソースの周波数帯の構成を示す図である。
【図５】本発明の実施形態に係る、ｅＮＢの構成図である。
【図６】本発明の実施形態に係る、ＳＲＳの周波数帯と、割り当て下りＲＢとの対応の例を示す図である。
【図７】本発明の実施形態に係る、ＵＥがｅＮＢに対して通知するＣＱＩ情報によって示されるＳＩＮＲを示す図である。
【図８】本発明の実施形態に係る、無線基地局の動作を示すフローチャートである。
【発明を実施するための形態】
【００１６】
次に、図面を参照して、本発明の実施形態を説明する。具体的には、無線通信システムの構成、無線基地局の構成、無線基地局の動作、作用・効果、その他の実施形態について説明する。以下の実施形態における図面の記載において、同一又は類似の部分には同一又は類似の符号を付している。
【００１７】
（１）無線通信システムの構成
図１は、本発明の実施形態に係る無線通信システム１０の全体概略構成図である。
【００１８】
図１に示す無線通信システム１０は、ＴＤＤ−ＬＴＥの無線通信システムである。無線通信システム１０は、無線基地局（ｅＮＢ）１−１と、無線端末（ＵＥ）２−１とを含む。
【００１９】
ＵＥ２−１は、ｅＮＢ１−１によるリソースブロックの割り当て対象である。この場合、ｅＮＢ１−１を基準とすると、ＵＥ２−１は、サービング無線端末である。
【００２０】
ｅＮＢ１−１とＵＥ２−１との間の無線通信には、時分割複信が採用されるとともに、下りの無線通信にはＯＦＤＭＡ（Orthogonal Frequency Division Multiplexing Access）、上りの無線通信にはＳＣ−ＦＤＭＡ（Single Carrier Frequency Division Multiple Access）が採用される。下りとは、ｅＮＢ１−１からＵＥ２−１へ向かう方向を意味する。上りとは、ＵＥ２−１からｅＮＢ１−１へ向かう方向を意味する。
【００２１】
ｅＮＢ１−１は、セル３−１内のＵＥ２−１に対して、無線リソースとしてのリソースブロック（ＲＢ：Resource Block）を割り当てる。
【００２２】
リソースブロックは、下りの無線通信に用いられる下りリソースブロック（下りＲＢ）と、上りの無線通信に用いられる上りリソースブロック（上りＲＢ）とがある。複数の下りリソースブロックは、周波数方向及び時間方向に配列される。同様に、複数の上りリソースブロックは、周波数方向及び時間方向に配列される。
【００２３】
図２は、リソースブロックのフォーマットを示す図である。図２に示すように、リソースブロックは、時間方向では、１［ｍｓ］の時間長を有する１つのサブフレームによって構成される。サブフレームは、時間帯Ｓ１乃至時間帯Ｓ１４からなる。これら時間帯Ｓ１乃至時間帯Ｓ１４のうち、シンボルＳ１乃至シンボルＳ７は、前半のタイムスロット（タイムスロット１）を構成し、シンボルＳ８乃至シンボルＳ１４は、後半のタイムスロット（タイムスロット２）を構成する。
【００２４】
図２に示すように、リソースブロックは、周波数方向では、１８０［ｋＨｚ］の周波数幅を有する。また、リソースブロックは、１５［ｋＨｚ］の周波数幅を有する１２個のシンボルキャリアＦ１乃至Ｆ１２からなる。
【００２５】
また、時間方向においては、複数のサブフレームによって１つのフレームが構成される。図３は、フレームのフォーマットを示す図である。図３（ａ）に示すフレームは、１０個のサブフレームによって構成される。フレームには、１０個のサブフレームが、下りリソースブロックのサブフレーム、下りリソースブロック及び上りリソースブロック双方のサブフレーム（前側のスペシャルサブフレーム：ＳＳＦ）３００、上りリソースブロックのサブフレーム、上りリソースブロックのサブフレーム、下りリソースブロックのサブフレーム、下りリソースブロックのサブフレーム、後側のスペシャルサブフレーム３０１、上りリソースブロックのサブフレーム、上りリソースブロックのサブフレーム、下りリソースブロックのサブフレームの順で含まれている。
【００２６】
また、スペシャルサブフレームは、サブフレーム内において、ガードタイムを挟んで前半のタイムスロットが下りの無線通信に利用され、後半のタイムスロットが上りの無線通信に利用される。そして、図３（ｂ）に示すように、スペシャルサブフレームは、その末尾に、ＳＲＳの送信時間帯に対応するＳＲＳシンボル１とＳＲＳシンボル２とを含む。
【００２７】
また、周波数方向においては、ｅＮＢ１−１とＵＥ２−１との間の無線通信において利用可能な無線リソースの全周波数帯、換言すれば、ＵＥ２−１に対して割り当て可能な周波数帯（割り当て周波数帯）は、複数のリソースブロックの個数分の帯域を有する。
【００２８】
図４は、ｅＮＢ１−１とＵＥ２−１との間の無線通信において利用可能な周波数帯の構成を示す図である。ｅＮＢ１−１とＵＥ２−１との間の無線通信において利用可能な全周波数帯は、１００個のリソースブロック分の帯域であるが、ここでは図４に示すように、ｅＮＢ１−１とＵＥ２−１との間の無線通信において利用可能な周波数帯として、９６個のリソースブロック分の帯域を利用するものとする。また、周波数帯を、２４個のリソースブロック分の帯域を有する周波数帯１乃至周波数帯４に分割する。
【００２９】
下りリソースブロックは、時間方向に、下りの制御情報伝送用の制御情報チャネル（ＰＤＣＣＨ：Physical Downlink Control CHannel）と、下り方向のユーザデータ伝送用の共有データチャネル（ＰＤＳＣＨ：Physical Downlink Shared CHannel）とにより構成される。
【００３０】
一方、上りリソースブロックは、上りの無線通信に使用可能な周波数帯の両端では、上りの制御情報伝送用の制御情報チャネル（ＰＵＣＣＨ：Physical Uplink Control CHannel）が構成され、中央部では、上りのユーザデータ伝送用の共有データチャネル（ＰＵＳＣＨ：Physical Uplink Shared CHannel）が構成される。
【００３１】
（２）ｅＮＢの構成
図５は、ｅＮＢ１−１の構成図である。図５に示すように、ｅＮＢ１−１は、制御部１０２、記憶部１０３、Ｉ／Ｆ部１０４、無線通信部１０６、変調・復調部１０７、アンテナ１０８を含む。
【００３２】
制御部１０２は、例えばＣＰＵによって構成され、ｅＮＢ１−１が具備する各種機能を制御する。制御部１０２は、リソースブロック（ＲＢ）割当部１１４と、ＭＣＳ（Modulation and Coding Scheme）決定部１１６を含む。記憶部１０３は、例えばメモリによって構成され、ｅＮＢ１−１における制御などに用いられる各種情報を記憶する。
【００３３】
Ｉ／Ｆ部１０４は、Ｘ２インタフェースを介して、図示しない他のｅＮＢとの間で通信可能である。また、Ｉ／Ｆ部１０４は、Ｓ１インターフェースを介して、図示しないＥＰＣ（Evolved Packet Core）、具体的には、ＭＭＥ（Mobility Management Entity）／Ｓ−ＧＷ（Serving Gateway）と通信可能である。
【００３４】
無線通信部１０６は、アンテナ１０８を介して、ＵＥ２−１から送信される上り無線信号を受信する。更に、無線通信部１０６は、受信した上り無線信号をベースバンド信号に変換（ダウンコンバート）し、変調・復調部１０７へ出力する。
【００３５】
変調・復調部１０７は、入力されたベースバンド信号の復調及び復号処理を行う。これにより、ＵＥ２−１が送信した上り無線信号に含まれるデータが得られる。データは制御部１０２へ出力される。
【００３６】
また、変調・復調部１０７は、制御部１０２からのデータの符号化及び変調を行い、ベースバンド信号を得る。無線通信部１０６は、ベースバンド信号を下り無線信号に変換（アップコンバート）する。更に、無線通信部１０６は、アンテナ１０８を介して、下り無線信号を送信する。
【００３７】
制御部１０２は、ＵＥ２−１に対して、スペシャルサブフレームのタイミングで当該ＵＥ２−１がサウンディング参照信号（ＳＲＳ）を送信する際に使用する周波数帯（ＳＲＳ送信周波数帯）を設定する。ここで、ＳＲＳは、無線周波数帯の上り無線信号である。
【００３８】
本実施形態では、ＳＲＳ送信周波数帯は、図４に示す周波数帯１から周波数帯４までを、規則的に交互に切り替える。制御部１０２は、所定のフレーム内のスペシャルサブフレームのタイミングでＵＥ２−１がＳＲＳを送信する際のＳＲＳ送信周波数帯を設定する場合、当該所定のフレームの２つ前のフレームの最後の下りリソースブロックのタイミングで、設定したＳＲＳ送信周波数帯の情報を含んだＲＲＣ  Ｃｏｎｎｅｃｔｉｏｎ  Ｒｅｃｏｎｆｉｇｕｒａｔｉｏｎ  メッセージを、ＵＥ２−１へ送信する。ＳＲＳ送信周波数帯の情報は、周波数帯１及び周波数帯２の帯域幅に対応するパラメータや、周波数帯３及び周波数帯４の帯域幅に対応するパラメータや、ＳＲＳシンボル１の情報又はＳＲＳシンボル２の情報からなり、ＲＲＣ  Ｃｏｎｎｅｃｔｉｏｎ  Ｒｅｃｏｎｆｉｇｕｒａｔｉｏｎ  メッセージの情報要素であるＳｏｕｎｄｉｎｇＲＳ−ＵＬ−Ｃｏｎｆｉｇに設定される。
【００３９】
ＵＥ２−１は、ＳＲＳ送信周波数帯の情報を含んだＲＲＣ  Ｃｏｎｎｅｃｔｉｏｎ  Ｒｅｃｏｎｆｉｇｕｒａｔｉｏｎ  メッセージを受信する。更に、ＵＥ２−１は、ＲＲＣ  Ｃｏｎｎｅｃｔｉｏｎ  Ｒｅｃｏｎｆｉｇｕｒａｔｉｏｎ  メッセージ内の周波数帯１及び周波数帯２の帯域幅に対応するパラメータと、周波数帯３及び周波数帯４の帯域幅に対応するパラメータと、ＳＲＳシンボル１の情報又はＳＲＳシンボル２の情報とを抽出する。更に、ＵＥ２−１は、受信したタイミングのフレームの２つ後のフレーム内の前側のスペシャルサブフレームのうち、抽出したＳＲＳシンボル１又はＳＲＳシンボル２のタイミングで周波数帯１及び周波数帯２のＳＲＳを送信し、後側のスペシャルサブフレームのうち、抽出したＳＲＳシンボル１又はＳＲＳシンボル２のタイミングで周波数帯３及び周波数帯４のＳＲＳを送信する処理（ＳＲＳホッピング送信）を行う。
【００４０】
ｅＮＢ１−１の制御部１０２内のＲＢ割当部１１４は、アンテナ１０８、無線通信部１０６及び変調・復調部１０７を介して、ＳＲＳを受信する。
【００４１】
更に、ＲＢ割当部１１４は、ＵＥ２−１へ送信すべきデータ（下りデータ）が存在するか否かを判定する。下りデータが存在する場合、ＲＢ割当部１１４は、ＵＥ２−１に対して、下りリソースブロックを割り当てる。ここで、ＲＢ割当部１１４は、ＵＥ２−１におけるＳＲＳホッピング送信によるＳＲＳの周波数帯の切り替えに応じて、当該ＵＥ２−１に対して下りリソースブロックを割り当てる。
【００４２】
具体的には、ＲＢ割当部１１４は、図６に示すように、受信した最新のＳＲＳの周波数帯を有し、且つ、最新のＳＲＳの受信タイミングを含むスペシャルサブフレームから次のスペシャルサブフレームまでの間のリソースブロックを、ＵＥ２−１に対する割当可能領域（ＵＥ割当可能領域）として設定する。ＵＥ割当可能領域には、２つの下りリソースブロックのサブフレームが含まれる。
【００４３】
次に、ＲＢ割当部１１４は、ＵＥ割当可能領域に含まれる２つの下りリソースブロックのサブフレームのうち、何れかの時間帯の下りリソースブロックのサブフレームをＵＥ２−１に割り当てる。
【００４４】
具体的には、ＲＢ割当部１１４は、最新のＳＲＳの受信タイミングがＳＲＳシンボル１のタイミングである場合には、ＵＥ割当可能領域に含まれる２つの下りリソースブロックのサブフレームのうち、前側の下りリソースブロックのサブフレームの時間帯を、割り当てる下りリソースブロックの時間帯として選択する。また、ＲＢ割当部１１４は、最新のＳＲＳの受信タイミングがＳＲＳシンボル２のタイミングである場合には、ＵＥ割当可能領域に含まれる２つの下りリソースブロックのサブフレームのうち、後側の下りリソースブロックのサブフレームの時間帯を、割り当てる下りリソースブロックのサブフレームの時間帯として選択する。
【００４５】
更に、ＲＢ割当部１１４は、選択した下りリソースブロックのサブフレームの周波数帯及び時間帯を一意に特定可能な下りＲＢ割当値を生成する。下りＲＢ割当値は、媒体アクセス制御（ＭＡＣ）層の処理によって得られる。下りＲＢ割当値には、ＵＥ２−１に対して割り当てられる下りリソースブロックのサブフレームの時間帯と周波数帯とを一意に識別する情報であるリソースブロック番号が含まれる。
【００４６】
ＲＢ割当部１１４は、下りＲＢ割当値の情報を、変調・復調部１０７、無線通信部１０６及びアンテナ１０８を介して、ＵＥ２−１へ送信する。
【００４７】
ＭＣＳ決定部１１６は、ＵＥ２−１に割り当てられた下りリソースブロックのサブフレームを用いて下りデータを送信する際のＭＣＳを選択する。ここで、ＵＥ２−１は、ｅＮＢ１−１に対して、割り当てられた下りリソースブロックのサブフレーム毎の、周波数帯１乃至周波数帯４に対応するＣＱＩ（Channel Quality Indicator）情報を送信している。ＭＣＳ決定部１１６は、ＣＱＩ情報を受信すると、当該ＣＱＩ情報に対応するＳＩＮＲ（Signal to Interference and Noise power Ratio）を取得する。
【００４８】
図７は、ＵＥ２−１がｅＮＢ１−１に対して通知するＣＱＩ情報によって示されるＳＩＮＲを示す図である。図７は、ＵＥ割当可能領域に含まれる２つの下りリソースブロックのサブフレームがＵＥ２−１に割り当てられる場合の例である。
【００４９】
図７に示す時間帯１乃至時間帯５は、ＳＲＳの受信周期の期間、換言すれば、ＵＥ２−１に対する下り無線リソースの割り当て周期である５［ｍｓ］の期間である。
【００５０】
時間帯１では、ＵＥ２−１は、周波数帯１及び周波数帯２の下りリソースブロックが割り当てられる。この場合、ＵＥ２−１は、時間帯１におけるスペシャルサブフレーム以外の４つのサブフレームのうち、割り当てられた下りリソースブロックのサブフレーム毎の、周波数帯１乃至周波数帯４に対応するＣＱＩ情報を送信する。周波数帯１及び周波数帯２に対応するＳＩＮＲは、４０３乃至４０４に示す値となる。
【００５１】
時間帯２では、ＵＥ２−１は、周波数帯３及び周波数帯４の下りリソースブロックが割り当てられる。この場合、ＵＥ２−１は、時間帯２におけるスペシャルサブフレーム以外の４つのサブフレームのうち、割り当てられた下りリソースブロックのサブフレーム毎の、周波数帯１乃至周波数帯４に対応するＣＱＩ情報を送信する。周波数帯１及び周波数帯２に対応するＳＩＮＲは、４１３乃至４１４に示す値となる。
【００５２】
時間帯３では、時間帯１と同様、ＵＥ２−１は、周波数帯１及び周波数帯２の下りリソースブロックが割り当てられる。この場合、ＵＥ２−１は、時間帯１におけるスペシャルサブフレーム以外の４つのサブフレームのうち、割り当てられた下りリソースブロックのサブフレーム毎の、周波数帯１乃至周波数帯４に対応するＣＱＩ情報を送信する。周波数帯１及び周波数帯２に対応するＳＩＮＲは、４０８乃至４０９に示す値となる。
【００５３】
時間帯４では、時間帯２と同様、ＵＥ２−１は、周波数帯３及び周波数帯４の下りリソースブロックが割り当てられる。この場合、ＵＥ２−１は、時間帯２におけるスペシャルサブフレーム以外の４つのサブフレームのうち、割り当てられた下りリソースブロックのサブフレーム毎の、周波数帯１乃至周波数帯４に対応するＣＱＩ情報を送信する。周波数帯１及び周波数帯２に対応するＳＩＮＲは、４１８乃至４１９に示す値となる。
【００５４】
図７から明らかなように、各時間帯の２つのＳＩＮＲは、１つ前の時間帯におけるＵＥ２−１に対するリソースブロックの割り当てからの経過時間が長いほど、低下する。
【００５５】
以下、このような状況下において、ｅＮＢ１−１が、時間帯５においてＵＥ２−１に割り当てられる周波数帯１及び周波数帯２の下りリソースブロックにおけるＭＣＳの決定処理である、第１の処理乃至第４の処理を説明する。
【００５６】
（第１の処理）
ＭＣＳ決定部１１６は、過去にＵＥ２−１に対して周波数帯３及び周波数帯４の下りリソースブロック、換言すれば、時間帯５において割り当てる周波数帯１及び周波数帯２とは異なる周波数帯３及び４の下りリソースブロックが割り当てられた時間帯である時間帯２及び時間帯４のうち、最新の時間帯４を選択する。次に、ＭＣＳ決定部１１６は、時間帯４における２つのＳＩＮＲのうち、当該時間帯４における時間位置が、時間帯５において割り当てる周波数帯１及び周波数帯２の下りリソースブロックと同一のタイミングにおいて取得されたＳＩＮＲであるＳＩＮＲ４１８を、ＭＣＳの決定に用いるＳＩＮＲとして選択する。
【００５７】
次に、ＭＣＳ決定部１１６は、選択したＳＩＮＲ４１８に基づいて、時間帯５において割り当てる周波数帯１及び周波数帯２の下りリソースブロックにおけるＭＣＳを決定する。ここで、ＭＣＳ決定部１１６は、ＳＩＮＲ４１８が高いほど、スループットが大きくなるように、ＭＣＳを決定する。
【００５８】
（第２の処理）
ＭＣＳ決定部１１６は、過去にＵＥ２−１に対して周波数帯３及び周波数帯４の下りリソースブロック、換言すれば、時間帯５において割り当てる周波数帯１及び周波数帯２とは異なる周波数帯３及び４の下りリソースブロックが割り当てられた時間帯である時間帯２及び時間帯４のうち、最新の時間帯４を選択する。次に、ＭＣＳ決定部１１６は、時間帯４における２つのＳＩＮＲのうち、最新のＳＩＮＲである、ＳＩＮＲ４１９を選択する。
【００５９】
次に、ＭＣＳ決定部１１６は、選択したＳＩＮＲ４１９に基づいて、時間帯５において割り当てる周波数帯１及び周波数帯２の下りリソースブロックにおけるＭＣＳを決定する。ここで、ＭＣＳ決定部１１６は、ＳＩＮＲ４１９が高いほど、スループットが大きくなるように、ＭＣＳを決定する。
【００６０】
（第３の処理）
ＭＣＳ決定部１１６は、過去にＵＥ２−１に対して周波数帯３及び周波数帯４の下りリソースブロック、換言すれば、時間帯５において割り当てる周波数帯１及び周波数帯２とは異なる周波数帯３及び４の下りリソースブロックが割り当てられた時間帯である時間帯２及び時間帯４のうち、最新の時間帯４を選択する。次に、ＭＣＳ決定部１１６は、時間帯４における２つのＳＩＮＲ４１８乃至ＳＩＮＲ４１９の平均値を算出する。
【００６１】
次に、ＭＣＳ決定部１１６は、算出したＳＩＮＲの平均値に基づいて、時間帯５において割り当てる周波数帯１及び周波数帯２の下りリソースブロックにおけるＭＣＳを決定する。ここで、ＭＣＳ決定部１１６は、ＳＩＮＲの平均値が高いほど、スループットが大きくなるように、ＭＣＳを決定する。
【００６２】
（第４の処理）
ＭＣＳ決定部１１６は、過去にＵＥ２−１に対して周波数帯３及び周波数帯４の下りリソースブロック、換言すれば、時間帯５において割り当てる周波数帯１及び周波数帯２とは異なる周波数帯３及び４の下りリソースブロックが割り当てられた時間帯である時間帯２及び時間帯４を選択する。
【００６３】
次に、ＭＣＳ決定部１１６は、時間帯４における２つのＳＩＮＲのうち、当該時間帯４における時間位置が、時間帯５において割り当てる周波数帯１及び周波数帯２の下りリソースブロックと同一のタイミングにおいて取得されたＳＩＮＲであるＳＩＮＲ４１８を、ＭＣＳの決定に用いるＳＩＮＲとして選択する。また、ＭＣＳ決定部１１６は、時間帯２における２つのＳＩＮＲ４１３乃至ＳＩＮＲ４１４のうち、当該時間帯３における時間位置が、時間帯５において割り当てる周波数帯１及び周波数帯２の下りリソースブロックと同一のタイミングにおいて取得されたＳＩＮＲであるＳＩＮＲ４１３を、ＭＣＳの決定に用いるＳＩＮＲとして選択する。
【００６４】
次に、ＭＣＳ決定部１１６は、選択したＳＩＮＲ４１８及びＳＩＮＲ４１３について、当該ＳＩＮＲに対応するＣＱＩ情報を受信してからの経過時間が短いほど、重み付け係数が大きくなるように、当該重み付け係数を決定する。更に、ＭＣＳ決定部１１６は、重み付け係数を用いてＳＩＮＲ４１８とＳＩＮＲ４１３の重み付け平均の値を算出する。例えば、０．５以上１未満の値をＳＩＮＲ４１８に対する重み付け係数γとする場合、ＳＩＮＲ４１８とＳＩＮＲ４１３の重み付け平均の値は、（ＳＩＮＲ４１８の値）×γ＋（ＳＩＮＲ４１３の値）×（１−γ）となる。なお、γは、例えばＰＦ（Propotional Fair）方式における、ＵＥ２−１に対するリソースブロック割り当ての優先度を示す値であるＰＦ値でもよい。
【００６５】
ＭＣＳ決定部１１６は、上述した第１の処理乃至第４の処理のいずれかにおいて決定したＭＣＳを、変調・復調部１０７へ出力する。変調・復調部１０７は、決定されたＭＣＳに応じて、下りデータを変調し、変調後の下りデータを、無線通信部１０６及びアンテナ１０８を介して、ＵＥ２−１へ送信する。
【００６６】
（３）ｅＮＢの動作
図８は、ｅＮＢ１−１の動作を示すフローチャートである。
【００６７】
ステップＳ１０１において、ｅＮＢ１−１は、ＵＥ２−１へ送信すべきデータ（下りデータ）が存在するか否かを判定する。下りデータが存在しない場合には、一連の動作が終了する。
【００６８】
一方、下りデータが存在する場合、ステップＳ１０２において、ｅＮＢ１−１は、ＵＥ２−１に対して、下りリソースブロックを割り当てる。
【００６９】
ステップＳ１０３において、ｅＮＢ１−１は、ＭＣＳ決定に用いるＳＩＮＲを選択する。具体的な選択手法は、上述した第１の処理乃至第３の処理に示す通りである。
【００７０】
ステップＳ１０４において、ｅＮＢ１−１は、選択したＳＩＮＲに基づいて、ＭＣＳを決定する。具体的な決定手法は、上述した第１の処理乃至第４の処理に示す通りである。
【００７１】
ステップＳ１０５において、ｅＮＢ１−１は、決定されたＭＣＳに応じて、下りデータを変調し、変調後の下りデータをＵＥ２−１へ送信する。
【００７２】
（４）作用・効果
以上説明したように、本実施形態によれば、ｅＮＢ１−１は、ＵＥ２−１からのＳＲＳの周波数の切り替えに応じて、当該ＵＥ２−１に対してリソースブロックを割り当てる、周波数ホッピングを採用しており、ＵＥ２−１に第１の下りリソースブロックを割り当てる際に、当該第１の下りリソースブロックの周波数帯域と異なる周波数帯域を有し、過去にＵＥ２−１に割り当てられた第２の下りリソースブロックについて取得されたＳＩＮＲに基づいて、第１のリソースブロックにおけるＭＣＳを決定する。
【００７３】
従って、ｅＮＢ１−１は、第２の下り無線リソースの周波数帯域に対応する過去のＳＩＮＲを、当該第１のリソースブロックにおけＭＣＳの決定に用いることができ、スループットを低下させることなく、適切なＭＣＳを決定することができる。
【００７４】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７５】
上述した実施形態では、スペシャルサブフレームのタイミングをサービングＵＥ２−１におけるＳＲＳの送信タイミングとした。しかし、ＳＲＳの送信タイミングは、これに限定されず、予めｅＮＢ１−１とサービングＵＥ２との間で合意されているタイミングであればよい。但し、ＳＲＳの送信タイミングは、少なくとも１フレームの時間内に一度存在することが好ましい。
【００７６】
上述した実施形態では、ＴＤＤ−ＬＴＥの無線通信システムについて説明したが、無線端末に割り当てられる上り無線信号の周波数帯と、下り無線信号の周波数帯とが異なる、上下非対称通信が採用される無線通信システムであれば、同様に本発明を適用できる。
【００７７】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００７８】
ｅＮＢ１−１…無線基地局、ＵＥ２−１…無線端末、３−１…セル、１０…無線通信システム、１０２…制御部、１０３…記憶部、１０４…Ｉ／Ｆ部、１０６…無線通信部、１０７…変調・復調部、１０８…アンテナ、１１４…ＲＢ割当部、１１６…ＭＣＳ決定部
【図１】
0005735783.tif 000002
【図２】
0005735783.tif 000003
【図３】
0005735783.tif 000004
【図４】
0005735783.tif 000005
【図５】
0005735783.tif 000006
【図６】
0005735783.tif 000007
【図７】
0005735783.tif 000008
【図８】
0005735783.tif 000009